(57)【要約】電池セルの膨張収縮に伴うモジュール側端子に作用する負荷を低減できる電池配線モジュールを提供する。ハウジングは、電線を収容する電線収容部２０と、モジュール側端子１２を収容する複数の端子収容部３０と、電線収容部２０及び端子収容部３０を電池セルの並ぶ方向において弾性変形可能に連結する第１弾性連結部５１，５２と、を備える。
2020045347.tif 000002
【特許請求の範囲】
【請求項１】
複数の電池セルの各電池端子同士を接続するバスバーに対して電気的に接続されるモジュール側端子と、
一端側に前記モジュール側端子が接続される電線と、
前記電線及びモジュール側端子を収容するハウジングと、
を有する電池配線モジュールであって、
前記ハウジングは、前記電線を収容する電線収容部と、前記モジュール側端子を収容する複数の端子収容部と、前記電線収容部及び前記端子収容部を前記電池セルの並ぶ方向において弾性変形可能に連結する第１弾性連結部と、を備える電池配線モジュール。
【請求項２】
前記電池セルの並ぶ方向において隣り合う前記端子収容部同士を弾性変形可能に連結する第２弾性連結部を備える請求項１に記載の電池配線モジュール。
【請求項３】
前記ハウジングは、前記電線収容部と前記端子収容部との間の隙間、及び、前記電池セルの並ぶ方向において隣り合う前記端子収容部間の隙間の少なくとも一方を遮蔽する遮蔽壁部を有する請求項１又は２に記載の電池配線モジュール。
【請求項４】
前記第２弾性連結部は、前記電池セルの並ぶ方向において隣り合う前記端子収容部間の隙間を遮蔽する前記遮蔽壁部を兼ねている、請求項２を引用する請求項３に記載の電池配線モジュール。
【請求項５】
前記電線収容部は、前記複数の電池セルの並ぶ方向と直交する方向であって前記電池セルに対する前記ハウジングの積層方向と直交する方向に窪んだ凹部を、前記複数の電池セルの並ぶ方向に複数有し、
前記凹部に前記端子収容部を備える、請求項１〜４のいずれか１項に記載の電池配線モジュール。
【請求項６】
前記端子収容部と前記電線収容部は、前記電線を前記端子収容部から前記電線収容部側に引き込む引込口を有し、前記端子収容部側の前記引込口と、前記電線収容部側の前記引込口との少なくとも一方は、前記第１弾性連結部から離れる方向に突出する突出部を有する、請求項１〜５の何れか１項に記載の電池配線モジュール。
【請求項７】
前記突出部は、前記端子収容部側の前記引込口と前記電線収容部側の前記引込口との両方に設けられる、請求項６に記載の電池配線モジュール。
【請求項８】
前記端子収容部側の前記引込口に設けられる前記突出部は、前記第１弾性連結部に対する突出長さが前記電線収容部側の前記引込口に設けられる前記突出部の前記第１弾性連結部に対する突出長さよりも長い、請求項７に記載の電池配線モジュール。
【請求項９】
前記引込口は、前記端子収容部から前記電線収容部側に引き込む引込方向と交差する方向に開放されており、開放方向先端側が基端側よりも広い、請求項６から請求項８の何れか１項に記載の電池配線モジュール。
【請求項１０】
前記電線収容部は、前記電池セルの並ぶ方向における端部から延出する延出壁部を有し、
前記端子収容部は、複数設けられるものであり、少なくとも前記延出壁部と前記電池セルの並ぶ方向において対向配置される端子収容部が前記電池セルの並ぶ方向における一方側が前記第１弾性連結部により連結され、前記電池セルの並ぶ方向における他方側が前記延出壁部と弾性変形可能に連結する第３弾性連結部により連結される、請求項１から請求項９の何れか１項に記載の電池配線モジュール。
【請求項１１】
前記延出壁部は、前記第３弾性連結部により連結される前記端子収容部と前記電池セルの並ぶ方向において対向する対向壁を有し、
前記対向壁は、補強リブを有する、請求項１０に記載の電池配線モジュール。
【発明の詳細な説明】
【技術分野】
【０００１】
本発明は、電池配線モジュールに関する。
【背景技術】
【０００２】
例えば特許文献１に開示されるように、電気自動車やハイブリッド自動車などの車両において、走行駆動用の電源として搭載される高圧の二次電池には、電池配線モジュールが装着されている。電池配線モジュールでは、モジュール側端子が二次電池を構成する複数の電池セル同士を接続するバスバーと接続されている。
【先行技術文献】
【特許文献】
【０００３】
【特許文献１】特開２０１５−２１６４号公報
【発明の概要】
【発明が解決しようとする課題】
【０００４】
ところで、上記のような電池配線モジュールでは、複数の電池セルの熱膨張収縮に伴ってバスバーとともにモジュール側端子が移動しようとする。このとき、モジュール側端子を収容する端子収容部の位置が固定されている場合、モジュール側端子が端子収容部に対して相対的に移動することとなる。これによりモジュール側端子に負荷がかかる虞がある。【０００５】
本発明は、上記課題を解決するためになされたものであって、その目的は、電池セルの膨張収縮に伴うモジュール側端子に作用する負荷を低減できる電池配線モジュールを提供することにある。
【課題を解決するための手段】
【０００６】
上記課題を解決する電池配線モジュールは、複数の電池セルの各電池端子同士を接続するバスバーに対して電気的に接続されるモジュール側端子と、一端側に前記モジュール側端子が接続される電線と、前記電線及びモジュール側端子を収容するハウジングと、を有する電池配線モジュールであって、前記ハウジングは、前記電線を収容する電線収容部と、前記モジュール側端子を収容する複数の端子収容部と、前記電線収容部及び前記端子収容部を前記電池セルの並ぶ方向において弾性変形可能に連結する第１弾性連結部と、を備える。【０００７】
上記態様によれば、第１弾性連結部により、電線収容部及び端子収容部を電池セルの並ぶ方向において弾性変形可能に連結することで、電池セルが膨張・収縮した場合であっても第１弾性連結部の弾性変形によってその変位を吸収できる。つまり、電池セルの膨張・収縮に伴ってバスバーに接続されたモジュール側端子が追従する際に、端子収容部が第１弾性連結部の弾性変形によって追従することができる。これにより、モジュール側端子に作用する負荷を抑えることができる。【０００８】
上記電池配線モジュールにおいて、前記電池セルの並ぶ方向において隣り合う前記端子収容部同士を弾性変形可能に連結する第２弾性連結部を備えることが好ましい。
上記態様によれば、第２弾性連結部により、電池セルの並ぶ方向において隣り合う端子収容部同士を弾性変形可能に連結することで、電池セルが膨張・収縮した場合であっても第２弾性連結部の弾性変形によってその変位を吸収できる。つまり、電池セルの膨張・収縮に伴ってバスバーに接続された各モジュール側端子が接続されたバスバーに追従することとなる。この際、各モジュール側端子が近接する場合や離間する場合があるが、前述したように第２弾性連結部によって端子収容部同士を弾性変形可能に連結することで、各端子収容部が追従可能となる。これにより、モジュール側端子に作用する負荷を抑えることができる。【０００９】
上記電池配線モジュールにおいて、前記ハウジングは、前記電線収容部と前記端子収容部との間の隙間、及び、前記電池セルの並ぶ方向において隣り合う前記端子収容部間の隙間の少なくとも一方を遮蔽する遮蔽壁部を有することが好ましい。【００１０】
上記態様によれば、遮蔽壁部を、電線収容部と前記端子収容部との間の隙間、及び、前記電池セルの並ぶ方向において隣り合う前記端子収容部間の隙間の少なくとも一方に有することで、モジュール側端子とバスバーとの接続やバスバーと電池端子との接続を溶接で行う際に発生するスパッタが前記隙間内に飛散することが抑えられる。【００１１】
上記電池配線モジュールにおいて、前記第２弾性連結部は、前記電池セルの並ぶ方向において隣り合う前記端子収容部間の隙間を遮蔽する前記遮蔽壁部を兼ねていることが好ましい。【００１２】
上記態様によれば、第２弾性連結部により遮蔽壁部を兼ねた構成とすることで、第２弾性連結部と遮蔽壁部とを個別で備えることを抑えられる。
上記電池配線モジュールにおいて、前記電線収容部は、前記複数の電池セルの並ぶ方向と直交する方向であって前記電池セルに対する前記ハウジングの積層方向と直交する方向に窪んだ凹部を、前記複数の電池セルの並ぶ方向に複数有し、前記凹部に前記端子収容部を備えることが好ましい。【００１３】
上記態様によれば、凹部に端子収容部を備えることで、端子収容部による電池配線モジュールの大型化を抑えることができる。
上記電池配線モジュールにおいて、前記端子収容部と前記電線収容部は、前記電線を前記端子収容部から前記電線収容部側に引き込む引込口を有し、前記端子収容部側の前記引込口と、前記電線収容部側の前記引込口との少なくとも一方は、前記第１弾性連結部から離れる方向に突出する突出部を有することが好ましい。【００１４】
上記態様によれば、端子収容部側の引込口と電線収容部側の引込口との少なくとも一方に第１弾性連結部から離れる方向に突出する突出部を有することで、電線を引込口に配置した際に突出部により第１弾性連結部から電線を離すことができる。これにより、第１弾性連結部において電線が挟まれることが抑えられるため、電線の損傷を抑えることができる。【００１５】
上記電池配線モジュールにおいて、前記突出部は、前記端子収容部側の前記引込口と前記電線収容部側の前記引込口との両方に設けられることが好ましい。
上記態様によれば、突出部は、端子収容部側の引込口と電線収容部側の引込口との両方に設けられることで、より確実に突出部によって第１弾性連結部から電線を離すことができる。これにより、第１弾性連結部において電線が挟まれることが抑えられるため、電線の損傷を抑えることができる。【００１６】
上記電池配線モジュールにおいて、前記端子収容部側の前記引込口に設けられる前記突出部は、前記第１弾性連結部に対する突出長さが前記電線収容部側の前記引込口に設けられる前記突出部の前記第１弾性連結部に対する突出長さよりも長いことが好ましい。【００１７】
上記態様によれば、端子収容部側の引込口に設けられる突出部は、第１弾性連結部に対する突出長さが電線収容部側の引込口に設けられる突出部の第１弾性連結部に対する突出長さよりも長いため、電線収容部における電線の自由度を高めつつ、端子収容部における電線の移動を規制できる。【００１８】
上記電池配線モジュールにおいて、前記引込口は、前記端子収容部から前記電線収容部側に引き込む引込方向と交差する方向に開放されており、開放方向先端側が基端側よりも広いことが好ましい。【００１９】
上記態様によれば、引込口の開放方向先端側が基端側よりも広いことで、電線を引込口の開放方向先端側から導入しやすい。
上記電池配線モジュールにおいて、前記電線収容部は、前記電池セルの並ぶ方向における端部から延出する延出壁部を有し、前記端子収容部は、複数設けられるものであり、少なくとも前記延出壁部と前記電池セルの並ぶ方向において対向配置される端子収容部が前記電池セルの並ぶ方向における一方側が前記第１弾性連結部により連結され、前記電池セルの並ぶ方向における他方側が前記延出壁部と弾性変形可能に連結する第３弾性連結部により連結されることが好ましい。【００２０】
上記態様によれば、電線収容部の端部に設けられた延出壁部と対向配置される端子収容部が第１弾性連結部と第３弾性連結部により連結されるため、延出壁部と対向配置される端子収容部においても電池セルが膨張・収縮した際の変位を第１弾性連結部と第３弾性連結部により吸収できる。ここで、電池配線モジュールにおいては電池セルの並ぶ方向における端部では、例えば大きさの制約等により端子収容部の電池セルの並ぶ方向両側に電線収容部が配置できず、一方側のみにしか電線収容部が配置できない場合がある。そのため、前述したように電線収容部の電池セルの並ぶ方向の端部において延出壁部を設け、その延出壁部と端子収容部との間を第３弾性連結部によって弾性連結することで、電池セルの並ぶ方向両側において端子収容部を弾性連結することができる。【００２１】
上記電池配線モジュールにおいて、前記延出壁部は、前記第３弾性連結部により連結される前記端子収容部と前記電池セルの並ぶ方向において対向する対向壁を有し、前記対向壁は、補強リブを有することが好ましい。【００２２】
上記態様によれば、対向壁に補強リブを有することで、対向壁の強度を確保することができ、外力によって対向壁が変形することを抑えることができる。
【発明の効果】
【００２３】
本発明の電池配線モジュールによれば、電池セルの膨張収縮に伴うモジュール側端子に作用する負荷を低減できる。
【図面の簡単な説明】
【００２４】
【図１】第１実施形態における電池配線モジュールの斜視図。
【図２】同実施形態における電池配線モジュールの一部を示す斜視図。
【図３】同実施形態における電池配線モジュールの一部を示す上面図。
【図４】同実施形態における電池配線モジュールの一部を示す斜視図。
【図５】同実施形態における電池配線モジュールの一部を示す上面図。
【図６】第２実施形態における電池配線モジュールの一部を拡大して示す上面図。
【図７】同実施形態における電池配線モジュールの一部を示す断面図。
【図８】第３実施形態における電池配線モジュールの一部を示す斜視図。
【図９】同実施形態における電池配線モジュールの一部を示す斜視図。
【図１０】同実施形態における電池配線モジュールの一部を示す上面図。
【発明を実施するための形態】
【００２５】
以下、電池配線モジュールの一実施形態について説明する。なお、図面では、説明の便宜上、構成の一部を誇張又は簡略化して示す場合がある。また、各部分の寸法比率についても、実際と異なる場合がある。
【００２６】
図１に示すように、電池配線モジュール１０は、略直方体状の二次電池ＢＴの上面に装着されている。なお、二次電池ＢＴは、電気自動車やハイブリッド自動車等に搭載されるものであり、車両の走行用モータに電力を供給する。また、二次電池ＢＴは、充電状態や車両の運転状態に応じて、走行用モータや発電用モータからの電力の供給を受ける。ここで、以降の説明では、図１中の互いに直交する３つの方向Ｘ、Ｙ、Ｚのうち、Ｘ方向を電池セルの並ぶ方向、Ｙ方向を電池配線モジュールの幅方向、Ｚ方向を上下方向として説明する。
【００２７】
二次電池ＢＴは、複数の電池セルＣを備え、各電池セルＣの図示しない正極端子と負極端子とが電池配線モジュール１０側（上側）に面している。
各電池セルＣは、Ｘ方向に複数並んで配置される。このとき、各電池セルＣの並び方向、すなわちＸ方向において、電池端子としての正極端子と負極端子とが交互に入れ替わるように電池セルＣが並べられている。各端子には、隣り合う端子同士、すなわち正極端子と負極端子同士を接続するバスバーＢが設けられる。つまり、各電池セルＣは、バスバーＢによって直列接続される。本例のバスバーＢは、例えば各電池セルＣの正極端子及び負極端子と溶接によって接続される。
【００２８】
図１に示すように、電池配線モジュール１０は、ハウジング１１と、複数のモジュール側端子１２と、複数の電線１３（図３参照）とを有する。
ハウジング１１は、例えば、電池セルＣの並び方向であるＸ方向の寸法が、幅方向であるＹ方向の寸法よりも長い形状をなしている。ハウジング１１は、その上側が開口された形状をなしており、図示しないカバーによってその開口が閉塞されるようになっている。
【００２９】
ハウジング１１は、例えば樹脂部材で構成される。ハウジング１１は、電線を収容する電線収容部２０と、モジュール側端子１２を収容する端子収容部３０，４０，４１とを有する。
【００３０】
図３及び図５に示すようにモジュール側端子１２は、平板状の端子本体１２ａと、端子本体１２ａから連続するバレル部１２ｂとを有する。バレル部１２ｂは、電線１３の芯線と電気的に接続される。
【００３１】
図１〜図５に示すように、ハウジング１１の電線収容部２０は、底部２１と、底部２１の外縁部から延出する側壁２２とでハウジング１１内において区画されている。電線収容部２０は、複数の電池セルＣの並ぶ方向と直交する方向であって電池セルＣに対するハウジング１１の積層方向と直交する方向、すなわちＹ方向に窪んだ凹部２３，２４を、複数の電池セルＣの並ぶ方向に複数有する。各凹部２３には、１つの端子収容部３０が設けられる。凹部２４には、２つの端子収容部４０，４１が設けられる。
【００３２】
図２及び図３に示すように、ハウジング１１の端子収容部３０は、底部３１と、底部３１の外縁部から延出する側壁３２とでハウジング１１内において区画されている。端子収容部３０はＸ方向に長い略直方体形状をなすように構成される。端子収容部３０と電線収容部２０の凹部２３とは、端子収容部３０のＸ方向両側及びＹ方向一方側において隙間Ｓ１が設けられる。また、端子収容部３０の側壁３２は、Ｘ方向に開口した開口部３３と、該Ｘ方向に直交するＹ方向に開口した開口部３４とを備える。
【００３３】
図２及び図３に示すように、端子収容部３０のＸ方向に開口した開口部３３は、電線収容部２０の側壁２２に開口するように形成された開口部２２ａとＸ方向に対向する。このため、端子収容部３０の開口部３３及び電線収容部２０の開口部２２ａを用いて、端子収容部３０に収容されたモジュール側端子１２と接続された電線１３を電線収容部２０内に導入可能となっている。つまり、端子収容部３０の開口部３３及び電線収容部２０の開口部２２ａは、電線１３導入（挿通）用の開口として機能する。
【００３４】
図２及び図３に示すように、開口部３４は、Ｙ方向において外側（反電線収容部２０側）に開口されている。開口部３４は、端子収容部３０に収容されたモジュール側端子１２の端子本体１２ａの一部をＹ方向外側に露出可能となっている。開口部３４から一部露出された端子本体１２ａは、その露出した部位がバスバーＢと電気的に接続される。
【００３５】
図２及び図３に示すように、電線収容部２０と端子収容部３０との間には第１弾性連結部５１，５２を有する。第１弾性連結部５１，５２は、端子収容部３０を挟んで端子収容部３０のＸ方向両側に設けられる。端子収容部３０のＸ方向一方側である開口部３３側には開口部３３のＹ方向両側に２つの第１弾性連結部５１が設けられる。端子収容部３０のＸ方向他方側には１つの第１弾性連結部５２が設けられる。第１弾性連結部５１，５２は、Ｙ方向から視て略Ｓ字状をなすように形成される。これにより、第１弾性連結部５１，５２は、Ｘ方向に弾性変形し易くなっている。本実施形態では、第１弾性連結部５１は、電線収容部２０の開口部２２ａを挟んだ両側の側壁２２の下部と端子収容部３０の開口部３３を挟んだ両側の側壁３２の上部とを接続している。そして、第１弾性連結部５１，５２は、例えば電線収容部２０に対して端子収容部３０が相対的にＹ方向に移動する場合に、第１弾性連結部５１，５２が弾性変形するようになっている。
【００３６】
図４及び図５に示すように、ハウジング１１の端子収容部４０，４１は、底部４２と、底部４２の外縁部から延出する側壁４３とでハウジング１１内において区画されている。各端子収容部４０，４１は、Ｘ方向に長い略直方体形状をなすように構成される。端子収容部４０，４１と電線収容部２０の凹部２４とは、端子収容部４０のＸ方向一方側、端子収容部４１のＸ方向他方側及び各端子収容部４０，４１のＹ方向一方側において隙間Ｓ１が設けられる。また、各端子収容部４０，４１の側壁４３は、Ｙ方向において電線収容部２０側に開口した開口部４４と、Ｙ方向において反電線収容部２０側に開口した開口部４５とを備える。
【００３７】
端子収容部４０，４１の開口部４４は、電線収容部２０の側壁２２に開口するように形成された開口部２２ｂとＹ方向に対向する。開口部２２ｂは、Ｙ方向外側に開口するように形成され、凹部２４のＸ方向略中央に形成される。端子収容部４０，４１の開口部４４及び電線収容部２０の開口部２２ｂを用いて、端子収容部４０，４１に収容されたモジュール側端子１２と接続された電線１３を、電線収容部２０内に導入可能となっている。つまり、端子収容部４０，４１の開口部４４及び電線収容部２０の開口部２２ｂは、電線１３導入（挿通）用の開口として機能する。
【００３８】
端子収容部４０，４１の開口部４５は、端子収容部４０，４１に収容されたモジュール側端子１２の端子本体１２ａの一部を外部に露出可能となっている。開口部４５から一部露出された端子本体１２ａは、その露出した部位がバスバーＢと電気的に接続される。
【００３９】
図４及び図５に示すように、電線収容部２０と端子収容部４０，４１との間には第１弾性連結部５３を有する。第１弾性連結部５３は、端子収容部４０，４１と電線収容部２０とのＸ方向に対向する部位に設けられる。ここで、端子収容部４０は電線収容部２０とＸ方向一方側で対向し、端子収容部４１は電線収容部２０とＸ方向他方側で対向する。
【００４０】
凹部２４内でＸ方向に隣り合う端子収容部４０と端子収容部４１との間には第２弾性連結部５４を有する。第２弾性連結部５４は、例えば各端子収容部４０，４１のＸ方向における対向面４６から延出して端子収容部４０，４１間を連結するものである。第２弾性連結部５４は、断面が略Ｕ字状をなすように構成されることで、端子収容部４０，４１間を弾性変形可能に連結している。
【００４１】
第２弾性連結部５４は、対向面４６の内でＹ方向外側から延出し、Ｙ方向外側にＵ字状をなすように湾曲形成されている。つまり、第２弾性連結部５４は、各端子収容部４０，４１よりもＹ方向外側に迫り出している。そして、第２弾性連結部５４は、上下方向であるＺ方向においてバスバーＢよりも上側に位置し、Ｚ方向においてバスバーＢと当接可能となっている。このため、バスバーＢが上方に移動することが抑えられている。
【００４２】
本実施形態の作用を説明する。
本実施形態の電池配線モジュール１０は、複数の電池セルＣを有する二次電池ＢＴ上に配置される。電池配線モジュール１０のモジュール側端子１２は、Ｘ方向に並ぶ電池セルＣの正極端子・負極端子同士を接続するバスバーＢと接続される。モジュール側端子１２には電線１３の一端が接続され、電線１３の他端は図示しない電池監視ＥＣＵと接続される。電池監視ＥＣＵは、電池セルＣの電圧監視が可能となっている。
【００４３】
また、電池配線モジュール１０の電線収容部２０と端子収容部３０との間、及び電線収容部２０と端子収容部４０，４１との間には第１弾性連結部５１，５２，５３を有し、電池セルＣの膨張・収縮動作に伴う移動（変位）を許容している。さらに、電池セルＣの並ぶ方向に隣り合う端子収容部４０，４１間に第２弾性連結部５４を有し、電池セルＣの膨張・収縮動作に伴う移動（変位）を許容している。
【００４４】
本実施形態の効果を記載する。
（１−１）第１弾性連結部５１，５２，５３により、電線収容部２０及び端子収容部３０，４０，４１を電池セルＣの並ぶ方向において弾性変形可能に連結することで、電池セルＣが膨張・収縮した場合であっても第１弾性連結部５１，５２，５３の弾性変形によってその変位を吸収できる。つまり、電池セルＣの膨張・収縮に伴ってバスバーＢに接続されたモジュール側端子１２が追従する際に、端子収容部３０，４０，４１が第１弾性連結部５１，５２，５３の弾性変形によって追従することができる。これにより、モジュール側端子１２に作用する負荷を抑えることができる。
【００４５】
（１−２）第２弾性連結部５４により、電池セルＣの並ぶ方向において隣り合う端子収容部４０，４１同士を弾性変形可能に連結することで、電池セルＣが膨張・収縮した場合であっても第２弾性連結部５４の弾性変形によってその変位を吸収できる。つまり、電池セルＣの膨張・収縮に伴ってバスバーＢに接続された各モジュール側端子１２が接続されたバスバーＢに追従することとなる。この際、各モジュール側端子１２が近接する場合や離間する場合があるが、前述したように第２弾性連結部５４によって端子収容部４０，４１同士を弾性変形可能に連結することで、各端子収容部４０，４１が追従可能となる。これにより、モジュール側端子１２に作用する負荷を抑えることができる。
【００４６】
（１−３）遮蔽壁部を構成する第２弾性連結部５４を、電池セルＣの並ぶ方向において隣り合う端子収容部４０，４１間の隙間Ｓ２に有することで、モジュール側端子１２とバスバーＢとの接続やバスバーＢと電池端子との接続を溶接で行う際に発生するスパッタが前記隙間Ｓ２内に飛散することが抑えられる。これにより、電線１３にスパッタが飛散することが抑えられ、電線１３の損傷を抑えることができる。
【００４７】
（１−４）第２弾性連結部５４により遮蔽壁部を兼ねた構成とすることで、第２弾性連結部５４と遮蔽壁部を個別に備えることを抑えられる。
（１−５）凹部２３，２４に端子収容部３０，４０，４１を備えることで、端子収容部３０，４０，４１による電池配線モジュール１０の大型化を抑えることができる。
【００４８】
（１−６）端子収容部３０，４０，４１のみに弾性連結部５１，５２，５３，５４を設ける構成であるため、電線収容部２０側の剛性を十分に確保することができる。
（１−７）各弾性連結部５１，５２，５３，５４は、上下方向であるＺ方向において隣接する側壁２２，３２，４３と同等の高さ（長さ）であるため、各弾性連結部５１，５２，５３，５４によるＺ方向における大型化を抑えることができる。
【００４９】
（第２実施形態）
次に、図６及び図７に従って、電池配線モジュールの第２実施形態について説明する。なお、本実施形態では、第１実施形態との相違点について主に説明し、第１実施形態と同様の構成には同じ符号を付して、説明の一部又は全部を割愛する場合がある。
【００５０】
図６に示すように、電池配線モジュール１０Ａの開口部２２ａ、３３は、第１実施形態と同様に第１弾性連結部５１のＸ方向両側に位置する。開口部２２ａ，３３は、第１弾性連結部５１から離れる方向であるＹ方向に突出する突出部６１ａ，６１ｂ，６２ａ，６２ｂを有する。
【００５１】
突出部６１ａ，６１ｂは、電線収容部２０の開口部２２ａに設けられる。突出部６１ａは、開口部２２ａの内でＹ方向内側に位置し、２つの第１弾性連結部５１の内でＹ方向内側に位置する第１弾性連結部５１からＹ方向外側に突出している。突出部６１ｂは、開口部２２ａの内でＹ方向外側に位置し、２つの第１弾性連結部５１の内でＹ方向外側に位置する第１弾性連結部５１からＹ方向内側に突出している。
【００５２】
突出部６２ａ，６２ｂは、端子収容部３０の開口部３３に設けられる。突出部６２ａは、開口部３３の内でＹ方向内側に位置し、２つの第１弾性連結部５１の内でＹ方向内側に位置する第１弾性連結部５１からＹ方向外側に突出している。突出部６２ｂは、開口部３３の内でＹ方向外側に位置し、２つの第１弾性連結部５１の内でＹ方向外側に位置する第１弾性連結部５１からＹ方向内側に突出している。突出部６２ａは、Ｙ方向内側に位置する第１弾性連結部５１に対する突出長さＬ２ａが、突出部６１ａのＹ方向内側に位置する第１弾性連結部５１に対する突出長さＬ１ａよりも長くなっている。突出部６２ｂは、Ｙ方向外側に位置する第１弾性連結部５１に対する突出長さＬ２ｂが、突出部６１ｂのＹ方向外側に位置する第１弾性連結部５１に対する突出長さＬ１ｂよりも長くなっている。本例では、突出部６１ａの突出長さＬ１ａと突出部６１ｂの突出長さＬ１ｂとはその長さが同一である。同様に、突出部６２ａの突出長さＬ２ａと突出部６２ｂの突出長さＬ２ｂとはその長さが同一である。
【００５３】
図７に示すように、開口部２２ａは、電線１３を端子収容部３０から電線収容部２０側に引き込む引込方向であるＸ方向と交差するＺ方向の上側に向けて開放された構成であって、開放方向の先端側の幅Ｗ１ｂが基端側の幅Ｗ１ａよりも広い。開口部３３は、電線１３を端子収容部３０から電線収容部２０側に引き込む引込方向であるＸ方向と交差するＺ方向の上側に向けて開放された構成であって、開放方向の先端側の幅Ｗ２ｂが基端側の幅Ｗ２ａよりも広い。
【００５４】
以上説明した実施形態によれば、第１実施形態の（１−１）〜（１−７）の効果に加えて、以下の効果を奏することができる。
（２−１）端子収容部３０側の引込口としての開口部３３と電線収容部２０側の引込口としての開口部２２ａに第１弾性連結部５１から離れる方向に突出する突出部６１ａ，６１ｂ，６２ａ，６２ｂを有する。これにより電線１３を開口部２２ａ，３３に配置した際に突出部６１ａ，６１ｂ，６２ａ，６２ｂにより第１弾性連結部５１から電線１３を離すことができる。そのため、第１弾性連結部５１において電線１３が挟まれることが抑えられるため、電線１３の損傷を抑えることができる。特に、開口部２２ａと開口部３３の両方に突出部６１ａ，６１ｂ，６２ａ，６２ｂを設けることで、より確実に突出部６１ａ，６１ｂ，６２ａ，６２ｂによって第１弾性連結部５１から電線１３を離すことができる。これにより、２つの第１弾性連結部５１において電線１３が挟まれることが抑えられるため、電線１３の損傷を抑えることができる。
【００５５】
（２−２）突出部６２ａ，６２ｂは、第１弾性連結部５１に対する突出長さＬ２ａ，Ｌ２ｂが突出部６１ａ，６１ｂの第１弾性連結部５１に対する突出長さＬ１ａ，Ｌ１ｂよりも長い。このため、電線収容部２０側における開口部２２ａを端子収容部３０側における開口部３３よりも相対的に広くなる。そのため、電線収容部２０側の開口部２２ａにおける電線１３の自由度を高めつつ、端子収容部３０側の開口部３３における電線１３の移動を規制できる。
【００５６】
（２−３）開口部２２ａ，３３の開放方向であるＺ方向における先端側の幅Ｗ１ｂ，Ｗ２ｂが基端側の幅Ｗ１ａ，Ｗ２ａよりも広いことで、電線１３を開口部２２ａ，３３の開放先端側から導入しやすい。
【００５７】
（第３実施形態）
次に、図８、図９及び図１０に従って、電池配線モジュールの第２実施形態について説明する。なお、本実施形態では、第１実施形態との相違点について主に説明し、第１実施形態と同様の構成には同じ符号を付して、説明の一部又は全部を割愛する場合がある。
【００５８】
図８、図９及び図１０に示すように、電池配線モジュール１０Ｂは、電線収容部２０と、複数の端子収容部３０とを有する。
図８、図９及び図１０に示す端子収容部３０は、複数の端子収容部３０の内で、電池セルＣの並ぶ方向であるＸ方向において一方の端部側に位置するものである。Ｘ方向において一方の端部に位置する２つの端子収容部３０は、その一部が電池配線モジュールの幅方向であるＹ方向において重なっている。以降の説明においては、Ｙ方向において一部重なる端子収容部を端子収容部７１，７２とする。端子収容部７１は、相対的に端子収容部７２よりもＹ方向外側に位置する。端子収容部７２は、相対的に端子収容部７１よりもＸ方向の端部側に位置する。
【００５９】
電線収容部２０は、電池セルＣの並ぶ方向であるＸ方向の端部７３から延出する延出壁部７４を有する。延出壁部７４は、端部７３からＸ方向に延びる第１延出壁７４ａと、第１延出壁７４ａの先端側において直交するＹ方向外側の延びる第２延出壁７４ｂとを有する。第２延出壁７４ｂは、端子収容部７１とＸ方向において対向する。より具体的には、第２延出壁７４ｂは、端子収容部７１を構成する側壁３２の内で、開口部３３が設けられる壁部とはＸ方向において逆側の壁部７５とＸ方向において対向する。また、端子収容部７１は、延出壁部７４の第２延出壁７４ｂと第３弾性連結部７６によって連結される。第３弾性連結部７６は、第１弾性連結部５１，５２と同様にＹ方向から視て略Ｓ字状をなすように形成される。これにより、第３弾性連結部７６は、Ｘ方向に弾性変形し易くなっている。すなわち、本例の延出壁部７４とＸ方向において対向配置される端子収容部７１は、Ｘ方向における一方側が第１弾性連結部５１により連結され、Ｘ方向における他方側が延出壁部７４と弾性変形可能に連結する第３弾性連結部７６により連結されることとなる。
【００６０】
また、延出壁部７４の対向壁としての第２延出壁７４ｂは、補強リブ７７を有する。補強リブ７７は、２つの第１補強壁７７ａと、１つの第２補強壁７７ｂとを有する。２つの第１補強壁７７ａは、第２延出壁７４ｂのＹ方向両側端部の第３弾性連結部７６とは反対側の面から延出する。第２補強壁７７ｂは、２つの第１補強壁７７ａの間を繋ぐとともに第２延出壁７４ｂのＹ方向両側端部の第３弾性連結部７６とは反対側の面から延出する。このように、第２延出壁７４ｂに補強リブ７７を有する構成とすることで、第２延出壁７４ｂが外力によって変形することが抑えられている。
【００６１】
端子収容部７２は、Ｘ方向一方側に開口した開口部３３と、Ｘ方向と直交するＹ方向に開口した開口部３４とを備える。端子収容部７２は、電線収容部２０の端部７３と第１弾性連結部５１によって連結される。端子収容部７２は、第１弾性連結部５１とは反対側の端部がハウジング１１のＸ方向端部に設けられた延出壁部７８と第４弾性連結部７９によって連結されている。すなわち、端子収容部７２は、Ｘ方向における一方側が第１弾性連結部５１により連結され、Ｘ方向における他方側が延出壁部７８と弾性変形可能に連結する第４弾性連結部７９により連結されることとなる。なお、端子収容部７２は、その一部が端子収容部７１と、Ｘ−Ｙ平面であり電池配線モジュールの幅方向であるＹ方向において重なっている。このため、端子収容部７２による電池配線モジュール１０ＢのＸ方向の大型化が抑えられている。
【００６２】
以上説明した実施形態によれば、第１実施形態の（１−１）〜（１−７）の効果に加えて、以下の効果を奏することができる。
（３−１）電線収容部２０の端部７３に設けられた延出壁部７４と対向配置される端子収容部７１が第１弾性連結部５１と第３弾性連結部７６により連結されるため、延出壁部７４と対向配置される端子収容部７１においても電池セルＣが膨張・収縮した際の変位を第１弾性連結部５１と第３弾性連結部７６により吸収できる。ここで、電池配線モジュール１０Ｂにおいては電池セルＣの並ぶ方向における端部では、例えば大きさの制約等により端子収容部７１のＸ方向両側に電線収容部２０が配置できず、一方側のみにしか電線収容部２０が配置できない場合がある。そのため、前述したように電線収容部２０のＸ方向の端部７３において延出壁部７４を設け、その延出壁部７４と端子収容部７１との間を第３弾性連結部７６によって弾性連結することで、Ｘ両側において端子収容部７１を弾性連結することができる。
【００６３】
（３−２）対向壁としての第２延出壁７４ｂに補強リブ７７を有することで、第２延出壁７４ｂの強度を確保することができ、外力によって対向壁としての第２延出壁７４ｂが変形することを抑えることができる。
【００６４】
なお、上記各実施形態は、以下のように変更して実施することができる。上記各実施形態及び以下の変更例は、技術的に矛盾しない範囲で互いに組み合わせて実施することができる。
【００６５】
・上記第２実施形態では、突出部６２ａ，６２ｂは、第１弾性連結部５１に対する突出長さＬ２ａ，Ｌ２ｂが突出部６１ａ，６１ｂの第１弾性連結部５１に対する突出長さＬ１ａ，Ｌ１ｂよりも長い構成としたが、これに限らない。例えば突出部６１ａ，６１ｂ，６２ａ，６２ｂの第１弾性連結部５１に対する突出長さＬ１ａ，Ｌ１ｂ、Ｌ２ａ，Ｌ２ｂの長さを同じとしてもよい。また、突出部６２ａ，６２ｂは、第１弾性連結部５１に対する突出長さＬ２ａ，Ｌ２ｂが突出部６１ａ，６１ｂの第１弾性連結部５１に対する突出長さＬ１ａ，Ｌ１ｂよりも短くしてもよい。
【００６６】
・上記第２実施形態では、開口部２２ａ，３３の開放方向であるＺ方向における先端側の幅Ｗ１ｂ，Ｗ２ｂが基端側の幅Ｗ１ａ，Ｗ２ａよりも広い構成としたが、これに限らない。開口部２２ａ，３３の各幅Ｗ１ａ，Ｗ１ｂ，Ｗ２ａ，Ｗ２ｂを同じとしてもよい。また、先端側の幅Ｗ１ｂ，Ｗ２ｂが基端側の幅Ｗ１ａ，Ｗ２ａよりも狭い構成としてもよい。
【００６７】
・上記第２実施形態では、突出部６１ａ，６１ｂ，６２ａ，６２ｂを設けたが、突出部６１ａ，６１ｂ，６２ａ，６２ｂの内の少なくとも１つを設ける構成を採用してもよい。このような構成であっても突出部６１ａ，６１ｂ，６２ａ，６２ｂの内の少なくとも１つによって第１弾性連結部５１から電線１３を離すことができるため、第１弾性連結部５１において電線１３が挟まれることが抑えられ、電線１３の損傷を抑えることができる。
【００６８】
・上記第３実施形態では、補強リブ７７を設ける構成としたが、省略した構成を採用してもよい。また、補強リブ７７の形状は適宜変更可能である。
・上記各実施形態では、隣り合う端子収容部４０，４１間に第２弾性連結部５４を備える構成を採用したが、第２弾性連結部５４を省略した構成を採用してもよい。この場合、例えば隣り合う端子収容部４０，４１を剛体で接続したり、端子収容部４０，４１同士を一体構成としてもよい。
【００６９】
・上記各実施形態では、第２弾性連結部５４は、電池セルＣの並ぶ方向において隣り合う端子収容部４０，４１間の隙間Ｓ２を遮蔽する場合に、第２弾性連結部５４を兼ねる構成としたが、遮蔽壁部と第２弾性連結部５４とを別体で設けるようにしてもよい。
【００７０】
・上記各実施形態では特に言及していないが、端子収容部３０，４０，４１と電線収容部２０との間の隙間Ｓ１のバスバーＢ側に面する部分を遮蔽するように遮蔽壁部を設ける構成を採用してもよい。
【００７１】
・上記各実施形態では、第２弾性連結部５４を設けることで遮蔽壁部を有する構成としたが、遮蔽壁部を省略した構成を採用してもよい。
・上記各実施形態では、端子収容部３０，４０，４１を凹部２３，２４に設ける構成としたが、これに限らない。
【符号の説明】
【００７２】
１０，１０Ａ，１０Ｂ…電池配線モジュール
１１…ハウジング
１２…モジュール側端子
１３…電線
２０…電線収容部
３０，４０，４１…端子収容部
５１，５２，５３…第１弾性連結部
５４…遮蔽壁部を構成する第２弾性連結部
２２ａ…開口部（引込口）
２３，２４…凹部
３３…開口部（引込口）
６１ａ，６１ｂ，６２ａ，６２ｂ…突出部
７１，７２…端子収容部
７４…延出壁部
７４ｂ…第２延出壁（対向壁）
７６…第３弾性連結部
７７…補強リブ
７８…延出壁部
Ｂ…バスバー
Ｃ…電池セル
Ｌ１ａ，Ｌ１ｂ，Ｌ２ａ，Ｌ２ｂ…突出長さ
Ｓ１，Ｓ２…隙間。
【図１】
2020045347.tif 000003
【図２】
2020045347.tif 000004
【図３】
2020045347.tif 000005
【図４】
2020045347.tif 000006
【図５】
2020045347.tif 000007
【図６】
2020045347.tif 000008
【図７】
2020045347.tif 000009
【図８】
2020045347.tif 000010
【図９】
2020045347.tif 000011
【図１０】
2020045347.tif 000012
【国際調査報告】
2020045347.tif 000013
2020045347.tif 000014
2020045347.tif 000015
2020045347.tif 000016